(57)【要約】【課題】洗浄槽の天井内面に付着した水滴を効率的に乾かし、天井内面の水滴が、乾燥した食器類に落下することない食器洗い乾燥機を提供する。【解決手段】被洗浄物２を収容する洗浄槽１と、洗浄水を加圧する洗浄ポンプ６と、洗浄ポンプ６から圧送される洗浄水を被洗浄物２に噴出する洗浄ノズル５とを備え、洗浄槽１の天井内面１ｂに、断面が略三角形状の突起１２を複数垂下形成したもので、洗浄槽１の天井内面１ｂに付着した水滴が突起１２の傾斜面でガイドされて、乾燥初期に、洗浄槽１の底面に落とすことができ、また、水滴が突起１２に付着した状態で残っても、突起１２の分だけ水滴の体積が減るので、乾かす水分量が減り、少ないエネルギーで、洗浄槽１の天井内面１ｂに付着した水滴を効率的に乾かすことができ、運転終了後、被洗浄物２を取り出す際に、天井内面１ｂに残った水滴が、乾燥した被洗浄物２に落下することがない。【選択図】図１
2006334123.tif 000002
【特許請求の範囲】
【請求項１】
被洗浄物を収容する洗浄槽と、洗浄水を加圧する洗浄ポンプと、前記洗浄ポンプから圧送される前記洗浄水を前記被洗浄物に噴出する洗浄手段とを備え、前記洗浄槽の天井内面に、断面が略三角形状の突起を複数垂下形成した食器洗い乾燥機。
【請求項２】
突起を、洗浄槽の天井内面の略全域に渡って連続して形成した請求項１に記載の食器洗い乾燥機。
【請求項３】
突起の大きさを、略三角形形状の底辺の大きさが３ｍｍから８ｍｍ、頂角が５５度から９５度とした請求項１又は２に記載の食器洗い乾燥機。
【発明の詳細な説明】
【技術分野】
【０００１】
本発明は、食器類に洗浄水を噴射して洗浄した後、洗浄槽内に温風を送風することによって、食器類を乾燥する食器洗い乾燥機に関するものである。
【背景技術】
【０００２】
従来の一般的な食器洗い乾燥機は、図４に示すように構成されていた（例えば、特許文献１参照）。以下、その構成について説明する。
【０００３】
図４において、食器洗い乾燥機は、食器類等の被洗浄物２を収容すると共に前面に開口部３を備えた洗浄槽１と、この開口部３を開閉する扉体４と、洗浄槽１の内面の底部に回転自在に配され、被洗浄物２に向けて洗浄水を噴射する洗浄手段である洗浄ノズル５を備えている。
【０００４】
洗浄槽１の外面の底部には、洗浄ノズル５に洗浄水を圧送する洗浄ポンプ６を配設している。被洗浄物２は、洗浄槽１内に配設された食器かご７にセットされている。８は、ヒータで、洗浄水を加熱するとともに、送風手段９によって送風される空気を加熱するよう洗浄槽１の内面の底部に配設されている。送風手段９は、洗浄槽１の外面の底部に設けられると共に、洗浄槽１の内面の下部に送風するための送風口１０を配設している。
【０００５】
次に、上記従来の食器洗い乾燥機の基本的な動作を、簡単に述べる。
【０００６】
まず、使用者が扉体４を開放し、洗浄槽１内に配置された食器かご７内に汚れた被洗浄物２をセットする。つぎに、扉体４を閉め、運転を開始する。運転は、まず、洗浄槽１の内面の底部に配置されたヒータ８によって洗浄水が加熱される。加熱された洗浄水は、洗浄ポンプ６により、洗浄ノズル５から被洗浄物２に向かって噴射され、被洗浄物２の汚れを落とす洗浄行程を行う。
【０００７】
その後、被洗浄物２をすすぐ、すすぎ行程を行う。すすぎ行程後、送風手段９を駆動することによって、送風口１０から乾いた空気を洗浄槽１内に圧送し、代わりに、洗浄槽１内の湿った空気を排気口１１より洗浄槽１外に排出する。また、同時に、ヒータ８によって、洗浄槽１内の空気を加熱し、加熱された空気が被洗浄物２の間を通り、被洗浄物２に付着している水滴を蒸発させる。また、ヒータ８の近傍にセットされた被洗浄物２は、ヒータ８の輻射熱で、被洗浄物２自体が直接加熱され、その熱で、被洗浄物２に付着している水滴を蒸発させたりもする。このような乾燥行程を行い、運転を終了する。
【特許文献１】特開２００２−３００９９６号公報
【発明の開示】
【発明が解決しようとする課題】
【０００８】
しかしながら、上記従来の食器洗い乾燥機では、被洗浄物２に噴射された洗浄水は、洗浄槽１の内面全体にも付着する。付着した洗浄水のうち、洗浄槽１の側面１ａに付着した洗浄水は垂れ落ちるが、天井内面１ｂに付着した洗浄水は垂れ落ちることなく水滴を形成し残り易い。このように、水滴となった洗浄水は乾燥し難く、乾燥行程終了後も残る事があった。乾燥行程終了後も天井内面１ｂに残った水滴は、運転終了後食器類を取り出す際に、扉体４を開けた時の振動や、食器かご７を移動させたときの振動等で、折角乾燥した被洗浄物２の上等に落ち、再度、濡らしてしまうという課題があった。
【０００９】
この水滴落下を防止するために、被洗浄物２を乾かすエネルギーに加え、洗浄槽１の天井内面１ｂの水滴を乾かすためのエネルギーを余分に加えれば良いのであるが、そうすれば、エネルギーの無駄遣いということになり、良い解決策とはいえない。
【００１０】
本発明は、上記従来の課題を解決するもので、余分なエネルギーを使うことなく、乾燥行程終了後、洗浄槽の天面から乾燥した被洗浄物に水滴が落下することない、使用勝手の良い食器洗い乾燥機を提供することを目的としている。
【課題を解決するための手段】
【００１１】
上記従来の課題を解決するために、本発明の食器洗い乾燥機は、被洗浄物を収容する洗浄槽と、洗浄水を加圧する洗浄ポンプと、前記洗浄ポンプから圧送される前記洗浄水を前記被洗浄物に噴出する洗浄手段とを備え、前記洗浄槽の天井内面に、断面が略三角形状の突起を複数垂下形成したもので、洗浄槽の天井内面に付着した水滴が突起の傾斜面でガイドされて、乾燥初期に、洗浄槽の底面に落とすことができる。また、水滴が突起に付着した状態で残っても、突起の分だけ、水滴の体積が減るので、乾かす水分量が減り、突起が無い場合に比べ、水滴が乾き易く、それ故、洗浄槽の天井内面に付着した水滴を効率的に乾かすと共に、その水滴を乾かすために、エネルギーを余分に加える必要がない。また、運転終了後、乾燥した被洗浄物を取り出す際に、水滴が、折角乾燥した被洗浄物に落下することがないので、使用勝手の良い食器洗い乾燥機を提供することが出来る。
【発明の効果】
【００１２】
本発明の食器洗い乾燥機は、天面の水滴を乾かすための、エネルギーを余分に加えることなく、洗浄槽内の天井内面に付着した水滴を効率的に乾かすので、運転終了後食器類を取り出す際に、扉体を開ける時の振動、食器かごの移動の際の振動等で、乾燥させた食器類の上等に水滴が落ち、乾燥させた食器類を、再度、濡らしてしまうということが無いものである。
【発明を実施するための最良の形態】
【００１３】
第１の発明は、被洗浄物を収容する洗浄槽と、洗浄水を加圧する洗浄ポンプと、前記洗浄ポンプから圧送される前記洗浄水を前記被洗浄物に噴出する洗浄手段とを備え、前記洗浄槽の天井内面に、断面が略三角形状の突起を複数垂下形成したもので、洗浄槽の天井内面に付着した水滴が突起の傾斜面でガイドされて、乾燥初期に、洗浄槽の底面に落とすことができる。また、水滴が突起に付着した状態で残っても、突起の分だけ、水滴の体積が減るので、乾かす水分量が減り、突起が無い場合に比べ、水滴が乾き易く、それ故、洗浄槽の天井内面に付着した水滴を効率的に乾かすと共に、その水滴を乾かすために、エネルギーを余分に加える必要がない。また、運転終了後、乾燥した被洗浄物を取り出す際に、水滴が、折角乾燥した被洗浄物に落下することがないので、使用勝手の良い食器洗い乾燥機を提供することが出来る。
【００１４】
第２の発明は、特に、第１の発明の突起を、洗浄槽の天井内面の略全域に渡って連続して形成したもので、天井内面の何処に水滴が付いても、第１の発明による効果と同様の効果が得られるものである。よって、より一層、天井内面に付着した水滴の乾燥効率を高めることができる。
【００１５】
第３の発明は、特に、第１又は第２の発明の突起の大きさを、略三角形形状の底辺の大きさが３ｍｍから８ｍｍ、頂角が５５度から９５度としたもので、従来乾燥行程で容易に乾燥せず、また、自重落下せず洗浄槽の天井内面に付着し易い３ｍｍ〜８ｍｍの大きさの水滴を落下させるのに極めて効果的で、それにより水滴を効率よく乾燥させることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における食器洗い乾燥機の側断面図、図２は、同食器洗い乾燥機の洗浄槽の天井内面に設けた突起の斜視図、図３は、同突起の作用説明図である。尚、従来の食器洗い乾燥機と同一部分については同一符号を付して、その説明を省略する。
【００１８】
図１〜３に示すように、本実施の形態は、洗浄槽１の天井内面１ｂに複数の突起１２を連続して垂下形成し、突起１２の少なくとも異なる２方向、本実施の形態では、互いに直交する２方向の断面形状を、略三角形としたもので、他の部分の構成は従来例と同一である。本実施の形態では、突起１２の大きさを、略三角形形状の底辺Ｌの大きさが約６ｍｍ、頂角αが６０度の略正三角形、即ち、底辺Ｌの略円の直径が６ｍｍ、頂角αが６０度の略円錐形状としている。
【００１９】
以上のように構成された食器洗い乾燥機の動作、作用を以下に説明する。
【００２０】
まず、使用者が扉体４を開放し、洗浄槽１内に配置された食器かご７に汚れた食器類等の被洗浄物２をセットする。つぎに、扉体４を閉め、洗浄ポンプ６を駆動し、運転を開始すると、洗浄槽１の底部に配置されたヒータ８で洗浄水を加熱しながら、洗浄手段である洗浄ノズル５から被洗浄物２に向けて洗浄水を噴射し、被洗浄物２の汚れを落とす洗浄行程が行われる。
【００２１】
その後、被洗浄物２をすすぐ、すすぎ行程を行う。すすぎ行程後、次に、送風手段９を駆動することによって、送風口１０から乾いた空気を洗浄槽１内に圧送し、代わりに、洗浄槽１内の湿った空気を排気口１１より洗浄槽１外に排出し、同時に、ヒータ８によって、加熱された空気が被洗浄物２の間を通り、被洗浄物２、食器かご７、洗浄槽１の内壁面等に付着している水滴を蒸発させ、また被洗浄物２を直接加熱する乾燥行程を行い、運転が終了する。
【００２２】
実験によると、一般的に、食器洗い乾燥機の天井内面１ｂに付着する水滴の形状も略釣鐘形状または略球形状である。水滴の略円の直径の大きさが、３ｍｍまでの場合、水滴の体積が小さいので、乾燥行程で十分乾く。何故なら、水滴の略円の直径の大きさが、例えば６ｍｍから３ｍｍに小さくなると、体積が約１／８から約１／４になるので、乾きやすいことが解る。
【００２３】
また、水滴の直径が８ｍｍ以上と極端に大きい場合は、加熱すすぎ終了後の水温が、約７０℃以上の高温であるために、水の表面張力が下がる効果もあり、水滴が自体の自重で、乾燥行程初期に洗浄槽１の底面に落下するので問題無い。しかし、３ｍｍから８ｍｍの間の大きさの水滴は、自重で落下し難いので、乾かす必要がある。それ故、洗浄槽１の天井内面に、互いに直交する２方向の断面形状が略三角形の突起１２を複数設けることにより、天井内面１ｂに付着した水滴が、突起１２の傾斜面によって下方にガイドされ乾燥行程初期に、洗浄槽１の底面に落とすことができる。
【００２４】
また、図３に示すように、水滴が落下せず、突起１２に付着した状態で残っても、突起１２の分だけ、水滴の体積が減るので、乾かす水分量が減り、突起１２が無い場合に比べ、水滴の乾きが易い。水滴の体積は、水滴と突起１２の重なり具合にもよるが、突起１２が無い場合に比べ約１／２に減ることもある。
【００２５】
それ故に、洗浄槽１の天井内面１ｂに付着した水滴を効率的に乾かすことができるものである。よって、洗浄槽１の天井内面１ｂに付着した水滴を乾かすために、エネルギーを余分に加える必要も無い。言い換えれば、天井内面１ｂの水滴の量が少ないということは、その分の水滴を乾かすために必要なエネルギーを、効率的に被洗浄物２の乾燥に使うことができるということである。
【００２６】
なお、本実施の形態では、突起１２の形状は略円錐形状であるが、断面形状が条件を満たせば、三角錐、四角錐等多角錐の形状であっても同じ効果が得られる。
【００２７】
また、本実施の形態では、多数の突起１２を、天井内面１ｂに平面部が露出しないように、山と谷が連続して続いているように、洗浄槽１の天井内面１ｂ全面に設けている。これにより、天井内面１ｂの何処に水滴が付いても同様の効果が得られるものである。即ち、水滴が天井内面１ｂの何処に付着しても、突起１２の傾斜面によるガイド効果、または、突起１２自体との重なりの効果が生じる。よって、より一層、天井内面１ｂに付着した水滴を効率よく乾燥させることができるものである。
【００２８】
なお、隣り合う突起１２間の谷部に平面部（図示せず）があって、その平面部の長さが３ｍｍ以下と小さい場合は、水滴が平面部に付着しても先と同様の効果が得られる。何故なら、付着する水滴が３ｍｍより大きい場合は、水滴の端の一端は突起１２の傾斜面に必ずかかるので、傾斜面の効果が得られる。小さい場合は、先の説明にもあるように、通常の乾燥行程で乾く。
【００２９】
また、突起１２の断面形状を、頂角αが６０度の略正三角形形状とすることで、略三角形形状の傾斜面の角度も、約６０度となり、次のような効果がある。一般に水滴が、樹脂の固体表面に付着する時の接触角は、樹脂の種類、表面状態により違いがあるが、約６０度から約９０度の値となることが解っている。水滴が、固体表面に広がるためには、接触角以上の角度となる必要があるが、突起１２の傾斜面に水滴が付着するということは、見かけ上、傾斜面の角度だけ、接触角を大きくしているということになる。よって、水滴が転がり、落下しやすくなるものである。実験により確認すると略三角形形状の頂角αが、５５度から９５度とした場合、傾斜面の効果が大きいことが解った。
【００３０】
よって、本実施の形態のように、突起１２の略三角形形状の底辺Ｌの大きさを６ｍｍ、頂角αを６０度とすることは、水滴の直径の大きさが３ｍｍから８ｍｍの水滴を落下させるのに、非常に効果が高いもので、天井内面１ｂに付着した水滴を乾かすための、エネルギーを余分に加えること無く、天井内面１ｂに付着した水滴を効率的に乾かし、乾燥後に天井内面１ｂに残った水滴が、運転終了後被洗浄物２を取り出す際に、扉体４を開ける時の振動や食器かご７の移動の際の振動等で、乾燥させた被洗浄物２の上等に落ち、乾燥させた被洗浄物２を、再度、濡らしてしまうということが無い。
【００３１】
なお、実験によると、天井内面１ｂに突起１２が無い場合、被洗浄物２に付着する水滴量の約２倍の水滴量が天井内面１ｂに残ることが解った。極端に言えば、天井内面１ｂの水滴を乾かすためには、被洗浄物２に付着している水滴を乾かすための約２倍の熱量が必要ということである。よって、本発明のような実施の形態は、水滴を乾かすための熱量を大きく削減できるという効果もある。
【産業上の利用可能性】
【００３２】
以上のように、本発明にかかる食器洗い機は、洗浄行程、すすぎ行程終了後の、食器類の乾燥行程において、食器類だけでなく、洗浄槽の天井内面に付着した多くの水滴を効率的に乾かすもので、食器洗い乾燥機に限らず、食品、衣類、厨芥などを乾燥させる各種機器にも適用できるものである。
【図面の簡単な説明】
【００３３】
【図１】本発明の実施の形態１における食器洗い乾燥機の側断面図
【図２】同食器洗い乾燥機の洗浄槽の天井内面に設けた突起の斜視図
【図３】同突起の作用説明図
【図４】従来の食器洗い乾燥機の側断面図
【符号の説明】
【００３４】
１    洗浄槽
１ｂ  天井内面
２    被洗浄物
５    洗浄ノズル（洗浄手段）
６    洗浄ポンプ
１２    突起
【図１】
2006334123.tif 000003
【図２】
2006334123.tif 000004
【図３】
2006334123.tif 000005
【図４】
2006334123.tif 000006